(57)【要約】【課題】小型でありながらも収差を良好に補正することのできる撮像レンズを提供する。【解決手段】物体側から像面側に向かって順に、両凸形状の正の第１レンズＬ１と、物体側に凹面を向けたメニスカスの負の第２レンズＬ２と、物体側に凸面を向けたメニスカスの負の第３レンズＬ３とを配列して構成する。このうち第１レンズＬ１については、像面側の面に変曲点が設けられた非球面レンズとする。さらに、レンズ系全体の焦点距離をｆ、第２レンズＬ２の物体側の曲率半径をＲ３としたとき、０．２６＜｜Ｒ３／ｆ｜＜０．５を満足するように撮像レンズを構成する。【選択図】図１
2009288776.tif 000002
【特許請求の範囲】
【請求項１】
物体側から像面側に向かって順に、正の屈折力を有する第１レンズと、負の屈折力を有する第２および第３レンズとを有する撮像レンズにおいて、
前記第１レンズは、その像面側の面に変曲点が設けられた両凸形状の非球面レンズであり、
前記第２レンズは、物体側に凹面を向けたメニスカスレンズであり、
前記第３レンズは、物体側に凸面を向けたメニスカスレンズである、
ことを特徴とする撮像レンズ。
【請求項２】
物体側から像面側に向かって順に、正の屈折力を有する第１レンズと、負の屈折力を有する第２および第３レンズとを有する撮像レンズにおいて、
前記第１レンズは、物体側の面が物体側に凸形状であり、像面側の面が、光軸近傍において像面側に凸形状で且つ周辺部が像面側に凹形状となる非球面形状に形成されており、
前記第２レンズは、物体側の面が光軸近傍において物体側に凹形状であり、像面側の面が光軸近傍において物体側に凹形状となるように形成されており、
前記第３レンズは、物体側の面が光軸近傍において物体側に凸形状であり、像面側の面が光軸近傍において物体側に凸形状となるように形成されている、
ことを特徴とする撮像レンズ。
【請求項３】
レンズ系全体の焦点距離をｆ、前記第２レンズの物体側面の曲率半径をＲ３としたとき、
０．２６＜｜Ｒ３／ｆ｜＜０．５      （１）
を満足することを特徴とする請求項１または２に記載の撮像レンズ。
【請求項４】
前記第３レンズの像面側面の曲率半径をＲ６としたとき、
０．５＜Ｒ６／ｆ＜１．０            （２）
を満足することを特徴とする請求項３に記載の撮像レンズ。
【発明の詳細な説明】
【技術分野】
【０００１】
本発明は、ＣＣＤセンサやＣＭＯＳセンサ等の撮像素子上に被写体像を形成する撮像レンズに係り、携帯電話機、デジタルスティルカメラ、携帯情報端末、セキュリティカメラ、車載カメラ、ネットワークカメラ等の比較的小型のカメラに搭載されて好適な撮像レンズに関するものである。
【背景技術】
【０００２】
上記小型のカメラに搭載される撮像レンズには、レンズの構成枚数が少ないことはもちろんのこと、近年の高画素化された撮像素子にも対応できる解像度の高いレンズ構成が要求されている。従来、レンズ構成として様々なものが提案されてきたが、中でも３枚のレンズから成るレンズ構成は、各種の収差を比較的良好に補正できる上に、小型化にも適していることから、多くのカメラに採用されている。
【０００３】
３枚構成の撮像レンズとしては、例えば特許文献１に記載の撮像レンズが知られている。この撮像レンズは、物体側から順に、正の屈折力（パワー）を有する第１レンズと、負の屈折力を有する第２レンズと、負の屈折力を有する第３レンズとから構成されており、当該第３レンズのレンズ面には変曲点が設けられている。周知のように、ＣＣＤセンサやＣＭＯＳセンサ等の撮像素子を採用する場合には、光の入射角を一定の範囲内に抑制する必要がある。この点、特許文献１に記載の撮像レンズによれば、撮像レンズから出射される光の角度が第３レンズの面形状によって抑制されるとともに、正負負のレンズ配列によって入射瞳が像面からより遠くに配置されることになるため、シェーディングが良好に抑制された周辺部の明るい撮像画像を得ることができる。
【０００４】
一方、近年は、撮像レンズの組立容易性の向上を狙って、開口絞りを撮像レンズの前方に配置する、いわゆる前絞りタイプのレンズ構成が採用されることも多い。特許文献１に記載の撮像レンズも、こうした前絞りタイプのレンズ構成が採用されている。ちなみに、前絞りタイプのレンズ構成の場合、その収差は、球面収差やコマ収差に関しては第１レンズが平凸形状のときに最小となり、像面湾曲に関しては第１レンズが両凸形状のときに最小となるため、バランスの取れた収差補正を行うためには、第１レンズの形状を両凸形状とした方がよい。
【先行技術文献】
【特許文献】
【０００５】
【特許文献１】特開２００７−３７６８号公報
【発明の概要】
【発明が解決しようとする課題】
【０００６】
上述の正負負のレンズ配列では、正の屈折力を有するレンズが１枚しかないため、さらなる小型化を図る場合、第１レンズの屈折力を他のレンズの屈折力よりも相対的に強くする必要がある。このため、このような構成を採用した撮像レンズにおいて、第１レンズの屈折力を過剰に強くすると、第２および第３レンズによる像面補正が不十分となり、撮像画像の画質の劣化を招くことになる。上記特許文献１に記載の撮像レンズは、撮像素子への光の入射角を抑制するという点では優れているものの、小型化と良好な収差補正との両立を図ることは困難であった。
【０００７】
本発明は上記のような従来技術の問題点に鑑みてなされたものであり、その目的は、小型でありながらも収差を良好に補正することのできる撮像レンズを提供することにある。
【課題を解決するための手段】
【０００８】
上記課題を解決するために、本発明では、物体側から像面側に向かって順に、正の屈折力を有する第１レンズと、負の屈折力を有する第２および第３レンズとを有する撮像レンズにおいて、第１レンズを、その像面側の面に変曲点が設けられた両凸形状の非球面レンズとし、第２レンズを、物体側に凹面を向けたメニスカスレンズとし、第３レンズを、物体側に凸面を向けたメニスカスレンズとした。
【０００９】
また、本発明では、物体側から像面側に向かって順に、正の屈折力を有する第１レンズと、負の屈折力を有する第２および第３レンズとを有する撮像レンズにおいて、第１レンズを、物体側の面が物体側に凸形状であり、像面側の面が、光軸近傍において像面側に凸形状で且つ周辺部が像面側に凹形状となる非球面形状に形成し、第２レンズを、物体側の面が光軸近傍において物体側に凹形状であり、且つ像面側の面が光軸近傍において物体側に凹形状となるように形成し、第３レンズを、物体側の面が光軸近傍において物体側に凸形状であり、且つ像面側の面が光軸近傍において物体側に凸形状となるように形成した。
【００１０】
従来、正負負のレンズ配列にあっては、第１レンズの屈折力の増大に伴い、第２レンズの物体側面の曲率半径を小さくして像面を補正する必要があった。これに対し、本発明では、第１レンズの像面側の面に変曲点を設け、この第１レンズにて像面補正を行う構成とした。これにより、第２レンズの物体側面の曲率半径を大きな値に設定することが可能となり、撮像レンズの一層の小型化を図ることができる。また、第２および第３レンズの屈折力を小さくすることができるため、小型でありながらも像面の良好な補正が可能となる。
【００１１】
なお、本明細書では、本発明を具体化した一実施の形態として、３枚構成の撮像レンズを例に挙げて説明するが、本発明は必ずしも３枚構成の撮像レンズに限定されるものではない。第１レンズの像面側の面に変曲点を設けて像面を補正するという技術的思想は、４枚構成の撮像レンズ等にも十分適用できるものである。
【００１２】
さらに、本発明では、上記構成の撮像レンズにおいて、レンズ系全体の焦点距離をｆ、第２レンズの物体側面の曲率半径をＲ３としたとき、
０．２６＜｜Ｒ３／ｆ｜＜０．５      （１）
を満足するように構成した。
【００１３】
上記条件式（１）は、レンズ系全長を短く保つための条件であるとともに、軸外の像面湾曲やコマ収差を補正するためのものである。上限値０．５を超えると軸外の像面が物体側（−方向）に増大するとともに、第２レンズの像面側面の最周辺部で極端な曲率半径の変化が発生し、場合によっては光線が臨界角を超えてしまうことになる。下限値０．２６を下回るとレンズ系の主点位置が像面側に移動するため、撮像レンズの小型化が困難となる。また、軸外の像面が像面側（＋方向）に増大し、このため第３レンズの最周辺部に大きな凸レンズの屈折力を持たせる必要が生じ、軸外のコマ収差の補正が困難となる。
【００１４】
こうしたレンズ構成においては、以下の条件式（１Ａ）を満足することがさらに望ましい。
０．２７＜｜Ｒ３／ｆ｜＜０．４５      （１Ａ）
【００１５】
また、上記構成の撮像レンズにおいて、本発明では、第３レンズの像面側面の曲率半径をＲ６としたとき、
０．５＜Ｒ６／ｆ＜１．０      （２）
を満足するように構成した。
【００１６】
上記条件式（２）は、像面湾曲を良好に補正するとともに、レンズ系を小型化するための条件である。上限値１．０を超えるとレンズ系の主点の位置が像面側に移動するため、レンズ系の小型化が困難となる。また、軸外の像面湾曲が物体側（−方向）に増大するため、平坦な像面を得ることが難しくなる。下限値０．５を下回るとレンズ系を小型化することはできるものの、レンズ有効径内で大きな変曲点が少なくとも２つ以上発生することとなり、軸外の全ての像高位置で安定したコマ収差を得ることが難しくなる。また、撮像レンズの組立時点で高い芯出し精度が要求されることになり、安定した光学性能を得ることが困難となる。
【００１７】
こうしたレンズ構成においては、以下の条件式（２Ａ）を満足することがさらに望ましい。
０．６＜Ｒ６／ｆ＜１．０      （２Ａ）
【発明の効果】
【００１８】
本発明の撮像レンズによれば、第１レンズにおいて像面の補正が行われるため、撮像レンズの小型化と良好な収差補正との両立が図られ、各種の収差が良好に補正された小型の撮像レンズを提供することができる。
【図面の簡単な説明】
【００１９】
【図１】本発明の実施の形態について、数値実施例１に係る撮像レンズの概略構成を示すレンズ断面図である。
【図２】同数値実施例１に係る撮像レンズの横収差を示す収差図である。
【図３】同数値実施例１に係る撮像レンズの球面収差、非点収差、歪曲収差を示す収差図である。
【図４】本発明の実施の形態について、数値実施例２に係る撮像レンズの概略構成を示すレンズ断面図である。
【図５】同数値実施例２に係る撮像レンズの横収差を示す収差図である。
【図６】同数値実施例２に係る撮像レンズの球面収差、非点収差、歪曲収差を示す収差図である。
【図７】本発明の実施の形態について、数値実施例３に係る撮像レンズの概略構成を示すレンズ断面図である。
【図８】同数値実施例３に係る撮像レンズの横収差を示す収差図である。
【図９】同数値実施例３に係る撮像レンズの球面収差、非点収差、歪曲収差を示す収差図である。
【図１０】本発明の実施の形態について、数値実施例４に係る撮像レンズの概略構成を示すレンズ断面図である。
【図１１】同数値実施例４に係る撮像レンズの横収差を示す収差図である。
【図１２】同数値実施例４に係る撮像レンズの球面収差、非点収差、歪曲収差を示す収差図である。
【図１３】本発明の実施の形態について、数値実施例５に係る撮像レンズの概略構成を示すレンズ断面図である。
【図１４】同数値実施例５に係る撮像レンズの横収差を示す収差図である。
【図１５】同数値実施例５に係る撮像レンズの球面収差、非点収差、歪曲収差を示す収差図である。
【図１６】本発明の実施の形態について、数値実施例６に係る撮像レンズの概略構成を示すレンズ断面図である。
【図１７】同数値実施例６に係る撮像レンズの横収差を示す収差図である。
【図１８】同数値実施例６に係る撮像レンズの球面収差、非点収差、歪曲収差を示す収差図である。
【図１９】本発明の実施の形態について、数値実施例７に係る撮像レンズの概略構成を示すレンズ断面図である。
【図２０】同数値実施例７に係る撮像レンズの横収差を示す収差図である。
【図２１】同数値実施例７に係る撮像レンズの球面収差、非点収差、歪曲収差を示す収差図である。
【図２２】本発明の実施の形態について、数値実施例８に係る撮像レンズの概略構成を示すレンズ断面図である。
【図２３】同数値実施例８に係る撮像レンズの横収差を示す収差図である。
【図２４】同数値実施例８に係る撮像レンズの球面収差、非点収差、歪曲収差を示す収差図である。
【図２５】本発明の実施の形態について、数値実施例９に係る撮像レンズの概略構成を示すレンズ断面図である。
【図２６】同数値実施例９に係る撮像レンズの横収差を示す収差図である。
【図２７】同数値実施例９に係る撮像レンズの球面収差、非点収差、歪曲収差を示す収差図である。
【図２８】本発明の実施の形態について、数値実施例１０に係る撮像レンズの概略構成を示すレンズ断面図である。
【図２９】同数値実施例１０に係る撮像レンズの横収差を示す収差図である。
【図３０】同数値実施例１０に係る撮像レンズの球面収差、非点収差、歪曲収差を示す収差図である。
【図３１】本発明の実施の形態について、数値実施例１１に係る撮像レンズの概略構成を示すレンズ断面図である。
【図３２】同数値実施例１１に係る撮像レンズの横収差を示す収差図である。
【図３３】同数値実施例１１に係る撮像レンズの球面収差、非点収差、歪曲収差を示す収差図である。
【図３４】本発明の実施の形態について、数値実施例１２に係る撮像レンズの概略構成を示すレンズ断面図である。
【図３５】同数値実施例１２に係る撮像レンズの横収差を示す収差図である。
【図３６】同数値実施例１２に係る撮像レンズの球面収差、非点収差、歪曲収差を示す収差図である。
【発明を実施するための形態】
【００２０】
以下、本発明を具体化した一実施の形態について、図面を参照しながら詳細に説明する。
【００２１】
図１、図４、図７、図１０、図１３、図１６、図１９、図２２、図２５、図２８、図３１、図３４はそれぞれ、本実施の形態の数値実施例１〜１２に対応するレンズ断面図を示したものである。いずれの数値実施例も基本的なレンズ構成は同一であるため、ここでは数値実施例１のレンズ断面図を参照しながら、本実施の形態のレンズ構成について説明する。
【００２２】
図１に示すように、本実施の形態に係る撮像レンズは、物体側から像面側に向かって順に、正の屈折力を有する第１レンズＬ１と、負の屈折力を有する第２レンズＬ２と、同じく負の屈折力を有する第３レンズＬ３とが配列されて構成される。第３レンズＬ３と撮像素子の像面との間には、カバーガラス１０が配置されている。なお、このカバーガラス１０は、割愛することも可能である。
【００２３】
第１レンズは、両凸形状であり、その像面側の面は、光軸近傍が像面側に凸形状で且つ周辺部が像面側に凹形状となる非球面形状、すなわち変曲点を有する非球面形状に形成されている。第２レンズは、物体側に凹面を向けたメニスカスレンズであり、第３レンズは、物体側に凸面を向けたメニスカスレンズである。詳しくは、第２レンズは、物体側の面が光軸上において物体側に凹形状であり、且つ像面側の面が光軸上において物体側に凹形状となるように形成されている。第３レンズは、物体側の面が光軸上において物体側に凸形状であり、且つ像面側の面が光軸上において物体側に凸形状となるように形成されている。なお、開口絞りは、第１レンズＬ１の物体側面の頂点接平面と同第１レンズＬ１の像面側面との間に配置されている（図示略）。
【００２４】
本実施の形態では、第１レンズＬ１〜第３レンズＬ３のレンズ面の全てを非球面で形成している。これらレンズ面に採用する非球面形状は、光軸方向の軸をＺ、光軸に直交する方向の高さをＨ、円錐係数をｋ、非球面係数をＡ4、Ａ6、Ａ8、Ａ10としたとき、次式により表される。
【数１】
2009288776.tif 000003
【００２５】
また、本実施の形態に係る撮像レンズは、レンズ系全体の焦点距離をｆ、第２レンズの物体側面の曲率半径をＲ３、第３レンズの像面側面の曲率半径をＲ６としたとき、
０．２６＜｜Ｒ３／ｆ｜＜０．５      （１）
０．５＜Ｒ６／ｆ＜１．０            （２）
を満足する。
【００２６】
ところで、第１レンズＬ１の像面側のレンズ面Ｒ２の面形状は、球面収差が一定の範囲内に入るような形状に設定することが望ましい。具体的には、本実施の形態に係る撮像レンズは、Ｆナンバーにより規定される最大輪帯での基準波長（ｄ線：５８７．５６ｎｍ）の球面収差をＳＡ１、Ｆナンバーにより規定される７０％輪帯での基準波長の球面収差をＳＡ２としたとき、以下の条件式（３）、（４）を満たす。
０．００１＜｜ＳＡ１／ｆ｜＜０．０１        （３）
０．００８＜｜ＳＡ２／ｆ｜＜０．０２        （４）
【００２７】
ここで、条件式（３）、（４）は、球面収差の形状を決めるための条件である。一定量の球面収差を残すことにより、十分な収差補正を行いつつも、許容錯乱円の径内での焦点深度をより深くすることが可能となり、画面の中心部と周辺部の像面を一致させることが容易となる。これにより、さらなる像面の良好な補正が行われる。また、球面収差が少ない場合よりも、許容錯乱円の径内での焦点深度が深くなるため、レンズの加工性、組立容易性の向上とともに、撮像レンズの生産性も向上する。
【００２８】
条件式（３）の上限値０．０１を超えると球面収差が補正不足となり、コントラストを上げることはできるが、高い解像力を得ることができない。下限値０．００１を下回ると球面収差が補正過剰となり、フレアーの要因となる。
【００２９】
一方、条件式（４）の上限値０．０２を超えると、７０％輪帯部での球面収差量が増大し、高い解像力を得ることができない。下限値０．００８を下回ると球面収差の値が小さくなり許容錯乱円のピント面での深度が深くなるとともに、画面中心部と周辺部でのベストピント面を一致させることが難しくなる。
【００３０】
また、本実施の形態に係る撮像レンズでは、軸上の色収差および軸外の色収差を安定に保つために、第２レンズＬ２のアッベ数を第１レンズＬ１および第３レンズＬ３のアッベ数よりも低い値に設定し、以下に示す範囲内に納めている。
第１レンズのｄ線におけるアッベ数νｄ１：νｄ１＞５０
第２レンズのｄ線におけるアッベ数νｄ２：νｄ２＜３５
第３レンズのｄ線におけるアッベ数νｄ３：νｄ３＞５０
【００３１】
次に、本実施の形態の数値実施例を示す。各数値実施例において、ｆはレンズ系全体の焦点距離を、ＦｎｏはＦナンバーを、ωは半画角をそれぞれ示す。また、ｉは物体側より数えた面番号を示し、Ｒは曲率半径を示し、ｄは光軸に沿ったレンズ面間の距離（面間隔）を示し、Ｎｄはｄ線に対する屈折率を、νｄはｄ線に対するアッベ数をそれぞれ示す。なお、非球面の面には、面番号ｉの後に＊（アスタリスク）の符号を付加して示す。
【００３２】
数値実施例１
基本的なレンズデータを以下に示す。
f=2.819mm、Fno=2.850、ω=31.83°
単位    ｍｍ
面データ
面番号ｉ    Ｒ        ｄ        Ｎｄ     νｄ
（物面）      ∞        ∞
1*     1.200    0.4274    1.52470    56.2（＝νｄ１）
2*    -5.232    0.2800
3*    -1.181    0.2700    1.58500    29.0（＝νｄ２）
4*    -2.619    0.3900
5*     1.910    0.5400    1.52470    56.2（＝νｄ３）
6*     1.720    0.1000
7         ∞    0.5000    1.51633    64.2
8         ∞    0.7198
（像面）      ∞
非球面データ
第１面
ｋ=3.571630E-03,Ａ4=-9.609015E-02,Ａ6=4.517996E-01,Ａ8=-6.742423E-01,Ａ10=-5.723653E-01
第２面
ｋ=-1.100000,Ａ4=-7.117645E-02,Ａ6=2.224279,Ａ8=-4.514689,Ａ10=2.378251
第３面
ｋ=-5.008525,Ａ4=9.018654E-01,Ａ6=1.952211,Ａ8=-6.987988,Ａ10=6.348792
第４面
ｋ=-2.156772E+01,Ａ4=8.310497E-01,Ａ6=8.778441E-01,Ａ8=-1.077041E-01,Ａ10=-1.916753
第５面
ｋ=-1.655733E+01,Ａ4=-7.994097E-02,Ａ6=-2.850504E-01,Ａ8=3.624609E-01,Ａ10=-1.150645E-01
第６面
ｋ=-1.406002E+01,Ａ4=-3.473060E-02,Ａ6=-1.826411E-01,Ａ8=1.268248E-01,Ａ10=-3.597336E-02
【００３３】
各条件式の値を以下に示す。
｜Ｒ３／ｆ｜＝０．４１８９
Ｒ６／ｆ＝０．６１０１
｜ＳＡ１／ｆ｜＝０．００３２２８
｜ＳＡ２／ｆ｜＝０．０１３１３
このように、本数値実施例１による撮像レンズは、条件式（１）、（２）、（１Ａ）、（２Ａ）を満たしている。また、条件式（３）、（４）も満たしている。
【００３４】
図２は、数値実施例１の撮像レンズについて、半画角ωに対応する横収差をタンジェンシャル方向とサジタル方向に分けて示したものである（図５、図８、図１１、図１４、図１７、図２０、図２３、図２６、図２９、図３２、図３５において同じ）。また、図３は、数値実施例１の撮像レンズについて、球面収差ＳＡ（ｍｍ）、非点収差ＡＳ（ｍｍ）、および歪曲収差ＤＩＳＴ（％）をそれぞれ示したものである。これら収差図において、球面収差図には、５８７．５６ｎｍ、４３５．８４ｎｍ、６５６．２７ｎｍ、４８６．１３ｎｍ、５４６．０７ｎｍの各波長に対する収差量とともに、正弦条件違反量ＯＳＣを併せて示し、非点収差図には、サジタル像面Ｓにおける収差量とタンジェンシャル像面Ｔにおける収差量とをそれぞれ示す（図６、図９、図１２、図１５、図１８、図２１、図２４、図２７、図３０、図３３、図３６において同じ）。
【００３５】
図２および図３に示されるように、本数値実施例１に係る撮像レンズによれば、各種収差が良好に補正されるようになる。特に、非点収差図に示されるように、非点隔差が非常に小さく、像面が良好に補正されており、歪曲収差も小さな値となっている。
【００３６】
数値実施例２
基本的なレンズデータを以下に示す。
f=2.849mm、Fno=2.850、ω=31.56°
単位    ｍｍ
面データ
面番号ｉ    Ｒ        ｄ        Ｎｄ     νｄ
（物面）      ∞        ∞
1*     1.020    0.4274    1.52470    56.2（＝νｄ１）
2*  -350.000    0.2800
3*    -1.002    0.2700    1.58500    29.0（＝νｄ２）
4*    -1.868    0.3900
5*     1.947    0.5400    1.52470    56.2（＝νｄ３）
6*     1.757    0.1000
7         ∞    0.5000    1.51633    64.2
8         ∞    0.7194
（像面）      ∞
非球面データ
第１面
ｋ=2.654118E-01,Ａ4=-4.954120E-02,Ａ6=3.611818E-01,Ａ8=-4.388809E-01,Ａ10=1.125891E-01
第２面
ｋ=-1.100000,Ａ4=-2.394039E-02,Ａ6=1.979625,Ａ8=-2.678835,Ａ10=2.700761
第３面
ｋ=-2.385308,Ａ4=7.823427E-01,Ａ6=2.072283,Ａ8=-5.772360,Ａ10=4.452089
第４面
ｋ=-2.453290,Ａ4=7.633615E-01,Ａ6=9.960390E-01,Ａ8=-8.790708E-02,Ａ10=-1.625718
第５面
ｋ=-1.932792E+01,Ａ4=-6.274209E-02,Ａ6=-2.988847E-01,Ａ8=3.558243E-01,Ａ10=-1.080382E-01
第６面
ｋ=-1.600537E+01,Ａ4=-3.110347E-02,Ａ6=-1.758746E-01,Ａ8=1.151820E-01,Ａ10=-3.060901E-02
【００３７】
各条件式の値を以下に示す。
｜Ｒ３／ｆ｜＝０．３５１７
Ｒ６／ｆ＝０．６１６７
｜ＳＡ１／ｆ｜＝０．００４２８２
｜ＳＡ２／ｆ｜＝０．０１３５５
このように、本数値実施例２による撮像レンズも、条件式（１）、（２）、（１Ａ）、（２Ａ）を満たしている。また、条件式（３）、（４）も満たしている。
【００３８】
図５は、数値実施例２の撮像レンズについて、半画角ωに対応する横収差を示したものであり、図６は、球面収差ＳＡ（ｍｍ）、非点収差ＡＳ（ｍｍ）、および歪曲収差ＤＩＳＴ（％）をそれぞれ示したものである。これら図５および図６に示されるように、本数値実施例２に係る撮像レンズによっても、数値実施例１と同様に、像面が良好に補正され、各種収差が好適に補正されている。
【００３９】
数値実施例３
基本的なレンズデータを以下に示す。
f=2.820mm、Fno=2.850、ω=31.82°
単位    ｍｍ
面データ
面番号ｉ    Ｒ        ｄ        Ｎｄ     νｄ
（物面）      ∞        ∞
1*     1.000    0.4000    1.52470    56.2（＝νｄ１）
2*  -250.000    0.3465
3*    -0.850    0.2700    1.58500    29.0（＝νｄ２）
4*    -1.404    0.2752
5*     2.158    0.5500    1.52470    56.2（＝νｄ３）
6*     1.720    0.1000
7         ∞    0.5000    1.51633    64.2
8         ∞    0.7111
（像面）      ∞
非球面データ
第１面
ｋ=-6.643782E-01,Ａ4=1.027721E-01,Ａ6=3.520863E-01,Ａ8=-2.416399E-01,Ａ10=-3.566034E-01
第２面
ｋ=-2.000000E-01,Ａ4=1.122222E-01,Ａ6=1.180800,Ａ8=-1.087691,Ａ10=-3.031972
第３面
ｋ=-3.926886,Ａ4=1.098880,Ａ6=5.151263E-01,Ａ8=-5.507538,Ａ10=4.006130
第４面
ｋ=8.877966E-01,Ａ4=1.447906,Ａ6=2.463747E-01,Ａ8=-5.773880E-01,Ａ10=-1.737255
第５面
ｋ=-3.445977E+01,Ａ4=7.824289E-03,Ａ6=-3.489052E-01,Ａ8=3.760238E-01,Ａ10=-1.149403E-01
第６面
ｋ=-2.526925E+01,Ａ4=-4.943925E-02,Ａ6=-1.409445E-01,Ａ8=9.055621E-02,Ａ10=-3.294964E-02
【００４０】
各条件式の値を以下に示す。
｜Ｒ３／ｆ｜＝０．３０１４
Ｒ６／ｆ＝０．６０９９
｜ＳＡ１／ｆ｜＝０．００５１４２
｜ＳＡ２／ｆ｜＝０．０１３３０
このように、本数値実施例３による撮像レンズも、条件式（１）、（２）、（１Ａ）、（２Ａ）を満たしている。また、条件式（３）、（４）も満たしている。
【００４１】
図８は、数値実施例３の撮像レンズについて、半画角ωに対応する横収差を示したものであり、図９は、球面収差ＳＡ（ｍｍ）、非点収差ＡＳ（ｍｍ）、および歪曲収差ＤＩＳＴ（％）をそれぞれ示したものである。これら図８および図９に示されるように、本数値実施例３に係る撮像レンズによっても、数値実施例１と同様に、像面が良好に補正され、各種収差が好適に補正されている。
【００４２】
数値実施例４
基本的なレンズデータを以下に示す。
f=2.818mm、Fno=2.850、ω=31.84°
単位    ｍｍ
面データ
面番号ｉ    Ｒ        ｄ        Ｎｄ     νｄ
（物面）      ∞        ∞
1*     0.999    0.4000    1.52470    56.2（＝νｄ１）
2*  -250.000    0.3336
3*    -0.800    0.2700    1.58500    29.0（＝νｄ２）
4*    -1.261    0.2941
5*     2.305    0.5500    1.52470    56.2（＝νｄ３）
6*     1.812    0.1000
7         ∞    0.5000    1.51633    64.2
8         ∞    0.7279
（像面）      ∞
非球面データ
第１面
ｋ=-8.380637E-01,Ａ4=8.174717E-02,Ａ6=1.847663E-01,Ａ8=2.520610E-02,Ａ10=-1.272276
第２面
ｋ=-2.000000E-01,Ａ4=-3.290475E-02,Ａ6=1.009547,Ａ8=-1.186233,Ａ10=-3.116549
第３面
ｋ=-3.091354,Ａ4=9.605722E-01,Ａ6=4.545874E-01,Ａ8=-3.776830,Ａ10=1.918176
第４面
ｋ=1.136051,Ａ4=1.385965,Ａ6=3.152754E-01,Ａ8=-2.224780E-01,Ａ10=-7.254427E-01
第５面
ｋ=-2.370650E+01,Ａ4=8.042088E-03,Ａ6=-3.569511E-01,Ａ8=3.744520E-01,Ａ10=-1.111984E-01
第６面
ｋ=-2.051346E+01,Ａ4=-3.404434E-02,Ａ6=-1.315706E-01,Ａ8=7.333431E-02,Ａ10=-2.352186E-02
【００４３】
各条件式の値を以下に示す。
｜Ｒ３／ｆ｜＝０．２８３９
Ｒ６／ｆ＝０．６４３０
｜ＳＡ１／ｆ｜＝０．００５５００
｜ＳＡ２／ｆ｜＝０．０１３５６
このように、本数値実施例４による撮像レンズも、条件式（１）、（２）、（１Ａ）、（２Ａ）を満たしている。また、条件式（３）、（４）も満たしている。
【００４４】
図１１は、数値実施例４の撮像レンズについて、半画角ωに対応する横収差を示したものであり、図１２は、球面収差ＳＡ（ｍｍ）、非点収差ＡＳ（ｍｍ）、および歪曲収差ＤＩＳＴ（％）をそれぞれ示したものである。これら図１１および図１２に示されるように、本数値実施例４に係る撮像レンズによっても、数値実施例１と同様に、像面が良好に補正され、各種収差が好適に補正されている。
【００４５】
数値実施例５
基本的なレンズデータを以下に示す。
f=2.820mm、Fno=2.850、ω=31.82°
単位    ｍｍ
面データ
面番号ｉ    Ｒ        ｄ        Ｎｄ     νｄ
（物面）      ∞        ∞
1*     1.132    0.4300    1.54420    56.0（＝νｄ１）
2*    -9.000    0.3100
3*    -0.800    0.2700    1.58500    29.0（＝νｄ２）
4*    -1.310    0.3000
5*     2.460    0.5500    1.52470    56.2（＝νｄ３）
6*     2.160    0.1200
7         ∞    0.5000    1.51633    64.2
8         ∞    0.7686
（像面）      ∞
非球面データ
第１面
ｋ=-1.113536,Ａ4=5.377919E-02,Ａ6=3.944907E-01,Ａ8=-9.427410E-01,Ａ10=5.056253E-01
第２面
ｋ=-2.000000E-01,Ａ4=6.194641E-02,Ａ6=1.061650,Ａ8=-1.727563,Ａ10=-7.429608E-01
第３面
ｋ=-4.306493,Ａ4=1.138327,Ａ6=3.101180E-01,Ａ8=-4.801168,Ａ10=5.198989
第４面
ｋ=3.389391E-01,Ａ4=1.629418,Ａ6=-2.992583E-01,Ａ8=-8.774816E-01,Ａ10=5.187645E-01
第５面
ｋ=-2.628183,Ａ4=-5.224037E-02,Ａ6=-3.404849E-01,Ａ8=3.618967E-01,Ａ10=-1.031880E-01
第６面
ｋ=-2.513713E+01,Ａ4=6.830394E-03,Ａ6=-1.785075E-01,Ａ8=9.621527E-02,Ａ10=-2.690439E-02
【００４６】
各条件式の値を以下に示す。
｜Ｒ３／ｆ｜＝０．２８３７
Ｒ６／ｆ＝０．７６６０
｜ＳＡ１／ｆ｜＝０．００８６５２
｜ＳＡ２／ｆ｜＝０．０１３５８
このように、本数値実施例５による撮像レンズも、条件式（１）、（２）、（１Ａ）、（２Ａ）を満たしている。また、条件式（３）、（４）も満たしている。
【００４７】
図１４は、数値実施例５の撮像レンズについて、半画角ωに対応する横収差を示したものであり、図１５は、球面収差ＳＡ（ｍｍ）、非点収差ＡＳ（ｍｍ）、および歪曲収差ＤＩＳＴ（％）をそれぞれ示したものである。これら図１４および図１５に示されるように、本数値実施例５に係る撮像レンズによっても、数値実施例１と同様に、像面が良好に補正され、各種収差が好適に補正されている。
【００４８】
数値実施例６
基本的なレンズデータを以下に示す。
f=2.821mm、Fno=2.850、ω=31.81°
単位    ｍｍ
面データ
面番号ｉ    Ｒ        ｄ        Ｎｄ     νｄ
（物面）      ∞        ∞
1*     0.955    0.4300    1.52470    56.2（＝νｄ１）
2*  -250.000    0.3100
3*    -0.740    0.2700    1.58500    29.0（＝νｄ２）
4*    -1.235    0.3000
5*     2.740    0.5600    1.52470    56.2（＝νｄ３）
6*     2.350    0.1000
7         ∞    0.5000    1.51633    64.2
8         ∞    0.7175
（像面）      ∞
非球面データ
第１面
ｋ=-6.835272E-01,Ａ4=8.489841E-02,Ａ6=7.200674E-01,Ａ8=-1.744546,Ａ10=1.574353
第２面
ｋ=-2.000000E-01,Ａ4=-1.096156E-02,Ａ6=2.090460,Ａ8=-5.851987,Ａ10=4.686746
第３面
ｋ=-2.644253,Ａ4=1.111790,Ａ6=4.296318E-01,Ａ8=-6.013717,Ａ10=3.800209
第４面
ｋ=6.162213E-01,Ａ4=1.592969,Ａ6=-7.947539E-02,Ａ8=-1.010723,Ａ10=1.256469E-01
第５面
ｋ=-9.276477,Ａ4=-1.966700E-02,Ａ6=-3.457502E-01,Ａ8=3.596988E-01,Ａ10=-1.035955E-01
第６面
ｋ=-3.890947E+01,Ａ4=-4.451298E-03,Ａ6=-2.031336E-01,Ａ8=1.136607E-01,Ａ10=-3.273839E-02
【００４９】
各条件式の値を以下に示す。
｜Ｒ３／ｆ｜＝０．２６２３
Ｒ６／ｆ＝０．８３３０
｜ＳＡ１／ｆ｜＝０．００４７１５
｜ＳＡ２／ｆ｜＝０．０１３９３
このように、本数値実施例６による撮像レンズも、条件式（１）、（２）、（２Ａ）を満たしている。また、条件式（３）、（４）も満たしている。
【００５０】
図１７は、数値実施例６の撮像レンズについて、半画角ωに対応する横収差を示したものであり、図１８は、球面収差ＳＡ（ｍｍ）、非点収差ＡＳ（ｍｍ）、および歪曲収差ＤＩＳＴ（％）をそれぞれ示したものである。これら図１７および図１８に示されるように、本数値実施例６に係る撮像レンズによっても、数値実施例１と同様に、像面が良好に補正され、各種収差が好適に補正されている。
【００５１】
数値実施例７
基本的なレンズデータを以下に示す。
f=2.820mm、Fno=2.850、ω=31.82°
単位    ｍｍ
面データ
面番号ｉ    Ｒ        ｄ        Ｎｄ     νｄ
（物面）      ∞        ∞
1*     1.160    0.4300    1.54420    56.0（＝νｄ１）
2*   -13.334    0.3600
3*    -0.737    0.2700    1.58500    29.0（＝νｄ２）
4*    -1.110    0.3000
5*     2.243    0.6000    1.54420    56.0（＝νｄ３）
6*     1.961    0.1200
7         ∞    0.5000    1.51633    64.2
8         ∞    0.7197
（像面）      ∞
非球面データ
第１面
ｋ=-1.133235,Ａ4=5.230167E-02,Ａ6=1.872938E-01,Ａ8=-6.726846E-02,Ａ10=-9.802473E-01
第２面
ｋ=-2.000000E-01,Ａ4=-3.416206E-02,Ａ6=9.257977E-01,Ａ8=-7.544864E-01,Ａ10=-2.402576
第３面
ｋ=-3.329221,Ａ4=9.945487E-01,Ａ6=5.351476E-01,Ａ8=-3.574792,Ａ10=2.628857
第４面
ｋ=9.531601E-01,Ａ4=1.497921,Ａ6=2.246661E-01,Ａ8=-4.214799E-01,Ａ10=5.548824E-02
第５面
ｋ=-2.336027E+01,Ａ4=2.628209E-02,Ａ6=-3.468680E-01,Ａ8=3.469695E-01,Ａ10=-9.907832E-02
第６面
ｋ=-2.201947E+01,Ａ4=-5.308159E-02,Ａ6=-1.091879E-01,Ａ8=5.846514E-02,Ａ10=-1.321193E-02
【００５２】
各条件式の値を以下に示す。
｜Ｒ３／ｆ｜＝０．２６１３
Ｒ６／ｆ＝０．６９５４
｜ＳＡ１／ｆ｜＝０．００３６１８
｜ＳＡ２／ｆ｜＝０．０１３５７
このように、本数値実施例７による撮像レンズも、条件式（１）、（２）、（２Ａ）を満たしている。また、条件式（３）、（４）も満たしている。
【００５３】
図２０は、数値実施例７の撮像レンズについて、半画角ωに対応する横収差を示したものであり、図２１は、球面収差ＳＡ（ｍｍ）、非点収差ＡＳ（ｍｍ）、および歪曲収差ＤＩＳＴ（％）をそれぞれ示したものである。これら図２０および図２１に示されるように、本数値実施例７に係る撮像レンズによっても、数値実施例１と同様に、像面が良好に補正され、各種収差が好適に補正されている。
【００５４】
数値実施例８
基本的なレンズデータを以下に示す。
f=2.812mm、Fno=2.850、ω=31.90°
単位    ｍｍ
面データ
面番号ｉ    Ｒ        ｄ        Ｎｄ     νｄ
（物面）      ∞        ∞
1*     1.200    0.4300    1.54420    56.0（＝νｄ１）
2*   -12.500    0.3600
3*    -0.773    0.2700    1.61420    26.0（＝νｄ２）
4*    -1.154    0.3300
5*     1.739    0.5500    1.54420    56.0（＝νｄ３）
6*     1.564    0.1200
7         ∞    0.5000    1.51633    64.2
8         ∞    0.7433
（像面）      ∞
非球面データ
第１面
ｋ=-1.043017,Ａ4=5.842160E-02,Ａ6=1.890164E-01,Ａ8=-1.589136E-01,Ａ10=-6.559129E-01
第２面
ｋ=-2.000000E-01,Ａ4=8.746537E-02,Ａ6=7.285371E-01,Ａ8=2.916258E-01,Ａ10=-4.468642
第３面
ｋ=-4.185126,Ａ4=1.021674,Ａ6=4.948302E-01,Ａ8=-3.303629,Ａ10=2.825619
第４面
ｋ=9.071188E-01,Ａ4=1.441105,Ａ6=2.244160E-01,Ａ8=-5.462014E-01,Ａ10=3.670526E-01
第５面
ｋ=-1.819411E+01,Ａ4=5.432107E-02,Ａ6=-3.643097E-01,Ａ8=3.442297E-01,Ａ10=-9.431776E-02
第６面
ｋ=-1.708083E+01,Ａ4=-2.097052E-02,Ａ6=-1.447557E-01,Ａ8=7.299979E-02,Ａ10=-1.132827E-02
【００５５】
各条件式の値を以下に示す。
｜Ｒ３／ｆ｜＝０．２７４９
Ｒ６／ｆ＝０．５５６２
｜ＳＡ１／ｆ｜＝０．００１００５
｜ＳＡ２／ｆ｜＝０．０１０１５
このように、本数値実施例８による撮像レンズも、条件式（１）、（２）、（１Ａ）を満たしている。また、条件式（３）、（４）も満たしている。
【００５６】
図２３は、数値実施例８の撮像レンズについて、半画角ωに対応する横収差を示したものであり、図２４は、球面収差ＳＡ（ｍｍ）、非点収差ＡＳ（ｍｍ）、および歪曲収差ＤＩＳＴ（％）をそれぞれ示したものである。これら図２３および図２４に示されるように、本数値実施例８に係る撮像レンズによっても、数値実施例１と同様に、像面が良好に補正され、各種収差が好適に補正されている。
【００５７】
数値実施例９
基本的なレンズデータを以下に示す。
f=2.811mm、Fno=2.856、ω=31.90°
単位    ｍｍ
面データ
面番号ｉ    Ｒ        ｄ        Ｎｄ     νｄ
（物面）      ∞        ∞
1*     1.200    0.4300    1.54420    56.0（＝νｄ１）
2*   -10.000    0.3600
3*    -0.766    0.2700    1.61420    26.0（＝νｄ２）
4*    -1.140    0.3300
5*     2.023    0.5500    1.54420    56.0（＝νｄ３）
6*     1.791    0.1200
7         ∞    0.5000    1.51633    64.2
8         ∞    0.7395
（像面）      ∞
非球面データ
第１面
ｋ=-1.118132,Ａ4=5.268885E-02,Ａ6=1.209367E-01,Ａ8=-8.338745E-02,Ａ10=-9.712141E-01
第２面
ｋ=-2.000000E-01,Ａ4=1.773670E-02,Ａ6=7.625366E-01,Ａ8=-3.664693E-01,Ａ10=-3.440770
第３面
ｋ=-3.543674,Ａ4=1.036623,Ａ6=4.813012E-01,Ａ8=-3.737029,Ａ10=3.386286
第４面
ｋ=9.516469E-01,Ａ4=1.471632,Ａ6=1.785030E-01,Ａ8=-4.765419E-01,Ａ10=3.361576E-01
第５面
ｋ=-1.886940E+01,Ａ4=5.436832E-02,Ａ6=-3.629847E-01,Ａ8=3.446191E-01,Ａ10=-9.590955E-02
第６面
ｋ=-1.851403E+01,Ａ4=-2.130366E-02,Ａ6=-1.435308E-01,Ａ8=7.276596E-02,Ａ10=-1.236438E-02
【００５８】
各条件式の値を以下に示す。
｜Ｒ３／ｆ｜＝０．２７２５
Ｒ６／ｆ＝０．６３７１
｜ＳＡ１／ｆ｜＝０．０００３５７５
｜ＳＡ２／ｆ｜＝０．０１００２
このように、本数値実施例９による撮像レンズも、条件式（１）、（２）、（１Ａ）、（２Ａ）を満たしている。また、条件式（４）も満たしている。
【００５９】
図２６は、数値実施例９の撮像レンズについて、半画角ωに対応する横収差を示したものであり、図２７は、球面収差ＳＡ（ｍｍ）、非点収差ＡＳ（ｍｍ）、および歪曲収差ＤＩＳＴ（％）をそれぞれ示したものである。これら図２６および図２７に示されるように、本数値実施例９に係る撮像レンズによっても、数値実施例１と同様に、像面が良好に補正され、各種収差が好適に補正されている。
【００６０】
数値実施例１０
基本的なレンズデータを以下に示す。
f=2.809mm、Fno=2.850、ω=31.92°
単位    ｍｍ
面データ
面番号ｉ    Ｒ        ｄ        Ｎｄ     νｄ
（物面）      ∞        ∞
1*     1.250    0.4300    1.54420    56.0（＝νｄ１）
2*   -10.619    0.3600
3*    -0.792    0.2700    1.61420    26.0（＝νｄ２）
4*    -1.125    0.3300
5*     2.035    0.5500    1.54420    56.0（＝νｄ３）
6*     1.800    0.1200
7         ∞    0.5000    1.51633    64.2
8         ∞    0.7749
（像面）      ∞
非球面データ
第１面
ｋ=-1.201369,Ａ4=4.849880E-02,Ａ6=1.621774E-01,Ａ8=1.125246E-02,Ａ10=-1.145796
第２面
ｋ=-2.000000E-01,Ａ4=4.051577E-02,Ａ6=9.627568E-01,Ａ8=-3.712835E-01,Ａ10=-3.714389
第３面
ｋ=-3.761547,Ａ4=1.075346,Ａ6=5.988599E-01,Ａ8=-3.595738,Ａ10=3.331444
第４面
ｋ=9.243673E-01,Ａ4=1.470173,Ａ6=1.797721E-01,Ａ8=-3.537035E-01,Ａ10=6.712121E-01
第５面
ｋ=-1.649513E+01,Ａ4=5.319389E-02,Ａ6=-3.647068E-01,Ａ8=3.442513E-01,Ａ10=-9.568201E-02
第６面
ｋ=-1.533527E+01,Ａ4=-2.882641E-02,Ａ6=-1.334071E-01,Ａ8=7.325239E-02,Ａ10=-1.486042E-02
【００６１】
各条件式の値を以下に示す。
｜Ｒ３／ｆ｜＝０．２８２０
Ｒ６／ｆ＝０．６４０８
｜ＳＡ１／ｆ｜＝０．０００７４５８
｜ＳＡ２／ｆ｜＝０．０１０００
このように、本数値実施例１０による撮像レンズも、条件式（１）、（２）、（１Ａ）、（２Ａ）を満たしている。また、条件式（４）も満たしている。
【００６２】
図２９は、数値実施例１０の撮像レンズについて、半画角ωに対応する横収差を示したものであり、図３０は、球面収差ＳＡ（ｍｍ）、非点収差ＡＳ（ｍｍ）、および歪曲収差ＤＩＳＴ（％）をそれぞれ示したものである。これら図２９および図３０に示されるように、本数値実施例１０に係る撮像レンズによっても、数値実施例１と同様に、像面が良好に補正され、各種収差が好適に補正されている。
【００６３】
数値実施例１１
基本的なレンズデータを以下に示す。
f=2.818mm、Fno=2.880、ω=31.84°
単位    ｍｍ
面データ
面番号ｉ    Ｒ        ｄ        Ｎｄ     νｄ
（物面）      ∞        ∞
1*     1.200    0.4329    1.52470    56.2（＝νｄ１）
2*   -15.510    0.3687
3*    -0.791    0.3000    1.58500    29.0（＝νｄ２）
4*    -1.095    0.3040
5*     1.879    0.4689    1.52470    56.2（＝νｄ３）
6*     1.676    0.1300
7         ∞    0.7000    1.51633    64.2
8         ∞    0.7069
（像面）      ∞
非球面データ
第１面
ｋ=-1.011766,Ａ4=6.851280E-02,Ａ6=1.768506E-01,Ａ8=-6.775754E-01,Ａ10=1.097705
第２面
ｋ=-2.000000E-01,Ａ4=5.113863E-02,Ａ6=6.988843E-01,Ａ8=-9.517452E-01,Ａ10=6.672871E-01
第３面
ｋ=-3.267414,Ａ4=9.544806E-01,Ａ6=2.307983E-01,Ａ8=-3.473671,Ａ10=5.723287
第４面
ｋ=9.382991E-01,Ａ4=1.431162,Ａ6=-1.544310E-01,Ａ8=-7.140686E-01,Ａ10=2.531955
第５面
ｋ=-2.315055,Ａ4=1.467822E-02,Ａ6=-3.879861E-01,Ａ8=3.576757E-01,Ａ10=-9.537818E-02
第６面
ｋ=-1.202090E+01,Ａ4=3.884753E-02,Ａ6=-2.315678E-01,Ａ8=1.311792E-01,Ａ10=-2.619288E-02
【００６４】
各条件式の値を以下に示す。
｜Ｒ３／ｆ｜＝０．２８０７
Ｒ６／ｆ＝０．５９４７
｜ＳＡ１／ｆ｜＝０．０００５０４
｜ＳＡ２／ｆ｜＝０．００９５２４
このように、本数値実施例１０による撮像レンズも、条件式（１）、（２）、（１Ａ）を満たしている。また、条件式（４）も満たしている。
【００６５】
図３２は、数値実施例１１の撮像レンズについて、半画角ωに対応する横収差を示したものであり、図３３は、球面収差ＳＡ（ｍｍ）、非点収差ＡＳ（ｍｍ）、および歪曲収差ＤＩＳＴ（％）をそれぞれ示したものである。これら図３２および図３３に示されるように、本数値実施例１１に係る撮像レンズによっても、数値実施例１と同様に、像面が良好に補正され、各種収差が好適に補正されている。
【００６６】
数値実施例１２
基本的なレンズデータを以下に示す。
f=2.830mm、Fno=2.850、ω=31.73°
単位    ｍｍ
面データ
面番号ｉ    Ｒ        ｄ        Ｎｄ     νｄ
（物面）      ∞        ∞
1*     1.200    0.4440    1.54420    56.0（＝νｄ１）
2*   -10.520    0.3579
3*    -0.747    0.2700    1.58500    29.0（＝νｄ２）
4*    -1.134    0.3526
5*     1.901    0.5546    1.54420    56.0（＝νｄ３）
6*     1.694    0.1200
7         ∞    0.5000    1.51633    64.2
8         ∞    0.7159
（像面）      ∞
非球面データ
第１面
ｋ=-1.184649,Ａ4=4.879782E-02,Ａ6=1.807498E-01,Ａ8=-3.034936E-01,Ａ10=-5.407427E-01
第２面
ｋ=-2.000000E-01,Ａ4=2.399427E-02,Ａ6=7.603625E-01,Ａ8=-3.491215E-01,Ａ10=-3.327572
第３面
ｋ=-3.766749,Ａ4=9.933897E-01,Ａ6=5.157697E-01,Ａ8=-3.179216,Ａ10=2.204030
第４面
ｋ=8.507557E-01,Ａ4=1.467081,Ａ6=2.036350E-01,Ａ8=-4.930278E-01,Ａ10=1.991353E-01
第５面
ｋ=-1.651559E+01,Ａ4=3.704331E-02,Ａ6=-3.670222E-01,Ａ8=3.471602E-01,Ａ10=-9.664383E-02,Ａ12=1.500000E-03
第６面
ｋ=-1.487972E+01,Ａ4=-3.942194E-02,Ａ6=-1.333091E-01,Ａ8=5.953188E-02,Ａ10=-7.800093E-03
【００６７】
各条件式の値を以下に示す。
｜Ｒ３／ｆ｜＝０．２６４０
Ｒ６／ｆ＝０．５９８６
｜ＳＡ１／ｆ｜＝０．００１１４６
｜ＳＡ２／ｆ｜＝０．０１０２４
このように、本数値実施例１０による撮像レンズも、条件式（１）、（２）を満たしている。また、条件式（３）、（４）も満たしている。
【００６８】
図３５は、数値実施例１２の撮像レンズについて、半画角ωに対応する横収差を示したものであり、図３６は、球面収差ＳＡ（ｍｍ）、非点収差ＡＳ（ｍｍ）、および歪曲収差ＤＩＳＴ（％）をそれぞれ示したものである。これら図３５および図３６に示されるように、本数値実施例１２に係る撮像レンズによっても、数値実施例１と同様に、像面が良好に補正され、各種収差が好適に補正されている。
【００６９】
したがって、本実施の形態に係る撮像レンズを、携帯電話機、デジタルスティルカメラ、携帯情報端末、セキュリティカメラ、車載カメラ、ネットワークカメラ等の撮像光学系に適用した場合、当該カメラ等の高機能化と小型化の両立を図ることができる。
【００７０】
なお、本発明に係る撮像レンズは、上記実施の形態に限定されるものではない。上記実施の形態では第１レンズＬ１〜第３レンズＬ３の全ての面を非球面としたが、全ての面を必ずしも非球面にする必要はない。例えば、第２レンズＬ２のいずれか一方の面、あるいは両面を球面で構成するようにしてもよい。
【００７１】
また、上記実施の形態では、撮像素子への光入射角を抑制するために、第３レンズＬ３に変曲点を設ける構成とした。しかし、撮像素子への光入射角に余裕があり、第３レンズＬ３に変曲点を設ける必要がない場合には、第３レンズのレンズ面を、変曲点を有しない非球面形状に形成してもよいし、第３レンズＬ３のいずれか一方の面、あるいは両方の面を球面で構成するようにしてもよい。
【産業上の利用可能性】
【００７２】
本発明は、撮像レンズとして小型化とともに良好な収差補正能力が要求される機器、例えば携帯電話機やデジタルスティルカメラ等の機器に搭載される撮像レンズに適用することができる。
【符号の説明】
【００７３】
Ｌ１    第１レンズ
Ｌ２    第２レンズ
Ｌ３    第３レンズ
１０    カバーガラス
【図１】
2009288776.tif 000004
【図２】
2009288776.tif 000005
【図３】
2009288776.tif 000006
【図４】
2009288776.tif 000007
【図５】
2009288776.tif 000008
【図６】
2009288776.tif 000009
【図７】
2009288776.tif 000010
【図８】
2009288776.tif 000011
【図９】
2009288776.tif 000012
【図１０】
2009288776.tif 000013
【図１１】
2009288776.tif 000014
【図１２】
2009288776.tif 000015
【図１３】
2009288776.tif 000016
【図１４】
2009288776.tif 000017
【図１５】
2009288776.tif 000018
【図１６】
2009288776.tif 000019
【図１７】
2009288776.tif 000020
【図１８】
2009288776.tif 000021
【図１９】
2009288776.tif 000022
【図２０】
2009288776.tif 000023
【図２１】
2009288776.tif 000024
【図２２】
2009288776.tif 000025
【図２３】
2009288776.tif 000026
【図２４】
2009288776.tif 000027
【図２５】
2009288776.tif 000028
【図２６】
2009288776.tif 000029
【図２７】
2009288776.tif 000030
【図２８】
2009288776.tif 000031
【図２９】
2009288776.tif 000032
【図３０】
2009288776.tif 000033
【図３１】
2009288776.tif 000034
【図３２】
2009288776.tif 000035
【図３３】
2009288776.tif 000036
【図３４】
2009288776.tif 000037
【図３５】
2009288776.tif 000038
【図３６】
2009288776.tif 000039